(57)【要約】【課題】水平風向調整板を駆動するモータとその近傍が風路壁に開けた連結棒の通し穴を通じて結露されるのを防止できる空気調和機の室内機を得ることを目的とする。【解決手段】風路を兼ねた筐体ベースと、吸い込み部を兼ねた化粧パネルとで下部に吹き出し口を有する外郭が構成され、化粧パネルと吹き出し口とを結ぶ風路に、空気と熱交換を行う熱交換器と、送風を行う送風機とが配置され、吹き出し口には、室内に吹き出す調和空気の風向を調整する垂直風向調整板と水平風向調整板とが設けられ、水平風向調整板を駆動モータによって回転させる空気調和機の室内機において、風路の外に設置される駆動モータを固定する駆動モータ固定部品と、この駆動モータ固定部品に形成され、駆動モータと周辺部品とを風路と同じ空間に閉じ込めるようにユニット内部の風路外空間とを隔てる仕切部材と、を備えたことを特徴とする。【選択図】        図４
2005140460.tif 000002
【特許請求の範囲】
【請求項１】
風路を兼ねた筐体ベースと、吸い込み部を兼ねた化粧パネルとで下部に吹き出し口を有する外郭が構成され、前記化粧パネルと前記吹き出し口とを結ぶ風路に、空気と熱交換を行う熱交換器と、送風を行う送風機とが配置され、前記吹き出し口には、室内に吹き出す調和空気の風向を調整する垂直風向調整板と水平風向調整板とが設けられ、前記水平風向調整板を駆動モータによって回転させる空気調和機の室内機において、
前記風路の外に設置される前記駆動モータを固定する駆動モータ固定部品と、
この駆動モータ固定部品に形成され、前記駆動モータと周辺部品とを前記風路と同じ空間に閉じ込めるようにユニット内部の風路外空間とを隔てる仕切部材と、
を備えたことを特徴とする空気調和機の室内機。
【請求項２】
前記仕切部材は、前記駆動モータ固定部品にヒンジにより一体に形成されたことを特徴とする請求項１記載の空気調和機の室内機。
【発明の詳細な説明】
【技術分野】
【０００１】
この発明は、空気調和機の室内機に係り、その吹き出し口付近に設けられた風向調整板を駆動モータにより駆動する連結部を通す風路壁の穴からの冷風の影響を抑制する構造に関するものである。
【背景技術】
【０００２】
従来の空気調和機室内機は、吹き出しノズルの吹き出し口の前部に、垂直風向調整板及び水平風向調整板が取り付けられる。水平風向調整板は、連結棒とリンクを介して駆動用モータと連結し風向の調整が行われる。リンクを取り付けたモータを、吹き出しノズルに樹脂成型した固定部品で固定する。連結棒は吹き出しノズルの壁に開けた穴を通り駆動用モータに連結される。この穴を通して冷気の流れや伝熱により、駆動モータとその周辺部が結露するという問題があった。
【特許文献１】特開平１０−６１９６４号公報
【発明の開示】
【発明が解決しようとする課題】
【０００３】
従来の空気調和機室内機は、水平風向調整板と駆動モータを連結する連結棒が通る風路壁に開いた穴からの冷気の流れや伝熱による風路外側のユニット内部が結露するという問題点があった。
【０００４】
この発明は上記のよう課題を解決するためになされたもので、水平風向調整板を駆動するモータとその近傍が風路壁に開けた連結棒の通し穴を通じて結露されるのを防止できる空気調和機の室内機を得ることを目的とする。
【０００５】
また、部品点数を減らしかつ組立てが容易な空気調和機の室内機を得ることを目的とする。
【課題を解決するための手段】
【０００６】
この発明に係る空気調和機の室内機は、風路を兼ねた筐体ベースと、吸い込み部を兼ねた化粧パネルとで下部に吹き出し口を有する外郭が構成され、化粧パネルと吹き出し口とを結ぶ風路に、空気と熱交換を行う熱交換器と、送風を行う送風機とが配置され、吹き出し口には、室内に吹き出す調和空気の風向を調整する垂直風向調整板と水平風向調整板とが設けられ、水平風向調整板を駆動モータによって回転させる空気調和機の室内機において、風路の外に設置される駆動モータを固定する駆動モータ固定部品と、この駆動モータ固定部品に形成され、駆動モータと周辺部品とを風路と同じ空間に閉じ込めるようにユニット内部の風路外空間とを隔てる仕切部材と、を備えたことを特徴とする。
【発明の効果】
【０００７】
この発明に係る空気調和機の室内機は、仕切部材により駆動モータと周辺部品とを風路と同じ空間に閉じ込めるようにユニット内部の風路外空間とを隔てるように構成したので、冷気の流れや伝熱を防止し、駆動モータと周辺部品及びユニット内部の結露を防止するという効果を奏する。
【発明を実施するための最良の形態】
【０００８】
実施の形態１．
図１乃至４は実施の形態１を示す図で、図１は空気調和機の室内機の断面図、図２は吹き出し口付近の斜視図、図３は水平風向調整板と駆動モータの部品構成を示す透視斜視図、図４は駆動モータ固定部品図である。
【０００９】
図１に示すように、室内機は、筐体ベース１０と化粧パネル１１で外郭が構成され、吸い込み部を兼ねた化粧パネル１１が着脱自在に筐体ベース１０に装着されている。室内からの空気を吸い込む吸込口と吹き出しノズル１とを結ぶ風路１４には、空気と熱交換を行う熱交換器１２と、送風機１３が配置されている。室内機下部に形成された吹き出し口には、室内に吹き出す調和空気の垂直方向の風向を調整する垂直風向調整板２、後述する駆動モータに連結する連結棒５に連結した水平風向調整板３が設けられている。
【００１０】
図２に示すように、水平風向調整板３に連結棒５が連結し、さらに連結棒６が連結棒５に連結している。連結棒６は、風路壁の連結棒を通す穴９から風路１４外に出る。
【００１１】
図３に示すように、水平風向調整板３は、連結棒５、６とリンク７により駆動モータ４に連結し、駆動モータ４の回転により風向が偏向される。
【００１２】
図４に示すように、風路１４外に設置される駆動モータ４は、ポリプロピレン樹脂製の駆動モータ固定部品８ａに固定される。ポリプロピレン樹脂製の駆動モータ固定部品８ａには、ヒンジによって一体となった蓋８ｂが設けられる。蓋８ｂによって、駆動モータ４とリンク７を囲い、風路１４とユニット内部を仕切る。蓋８ｂは駆動モータ４の固定座と共にネジ１５によってポリプロピレン樹脂製の駆動モータ固定部品８ａに固定される。
仕切部材は、蓋８ｂに相当する。
【００１３】
上記のように構成することにより、風路１４と駆動モータ４及びリンク７とは、風路壁の連結棒を通す穴９により連通し、風路１４の冷気は駆動モータ４及びリンク７に達するが、蓋８ｂによりユニット内部とは仕切られているので、温度の高い室内の空気は駆動モータ４及びリンク７に接触しないので、駆動モータ４とその周辺部が結露することはない。
【００１４】
蓋８ｂは、駆動モータ４側が冷やされ、ユニット内部側が暖められ結露する可能性があるが、断熱材を使用すれば結露を防止することができる。
【００１５】
蓋８ｂは、駆動モータ固定部品８ａにヒンジによって一体に設けられるので、部品点数を減らしかつ組立てが容易になる。
【図面の簡単な説明】
【００１６】
【図１】実施の形態１を示す図で、空気調和機の室内機を示す断面図である。
【図２】実施の形態１を示す図で、空気調和機の吹出し部を示す斜視図である。
【図３】実施の形態１を示す図で、水平風向調整部の透視斜視図である。
【図４】実施の形態１を示す図で、駆動モータ固定部品図である。
【符号の説明】
【００１７】
１  吹き出しノズル、２  垂直風向調整板、３  水平風向調整板、４  水平方向調整板を駆動するモータ、５  連結棒、６  連結棒、７  リンク、８ａ  ポリプロピレン製の駆動モータ固定部品、８ｂ  駆動モータ固定部品と一体の蓋、９  風路壁の連結棒を通す穴、１０  筐体ベース、１１  化粧パネル、１２  熱交換器、１３  送風機、１４  風路、１５  ４と８ｂを８ａに固定するネジ。
【図１】
2005140460.tif 000003
【図２】
2005140460.tif 000004
【図３】
2005140460.tif 000005
【図４】
2005140460.tif 000006